(57)【特許請求の範囲】
【請求項１】
被包装物を包装シート材で囲繞するとともに、包装シート材の重合端をシールし、そのシールしたシール部の所定位置に開封用の切込部を備えた包装体であって、
前記切込部は、１端が包装体の外側縁に達し、他端がシール部内の前記外側縁の近くに位置する１本の切込線で囲まれた領域からなり、
前記切込線の少なくとも一部が、前記他端よりも前記包装体の中央側に位置し、その中央側に位置する部位から前記包装シート材が前記包装体の中央側に向かって切り裂かれて包装体が開封されるようにしたことを特徴とする切込部付き包装体。
【請求項２】
被包装物を包装シート材で囲繞するとともに、包装シート材の重合端をシールし、そのシールしたシール部の所定位置に開封用の切込部を備えた包装体であって、
前記切込部は、１端が包装体の外側縁に達し、他端がシール部内の前記外側縁の近くに位置する１本の切込線で囲まれた領域からなり、
前記切込線は、方向変換された部位を少なくとも１つ有し、その方向変換された部位から前記包装シート材が前記包装体の中央側に向かって切り裂かれて包装体が開封されるようにしたことを特徴とする切込部付き包装体。
【請求項３】
前記方向変換された部位は、折曲部或いは湾曲状としたことを特徴とする請求項２に記載の切込部付き包装体。
【請求項４】
前記切込線で囲まれた領域の外側縁は、隣接する前記包装体の外側縁の延長線上に位置するようにしたことを特徴とする請求項１から３のいずれか１項に記載の切込部付き包装体。
【発明の詳細な説明】
【０００１】
【発明が属する技術分野】
本発明は切込部付き包装体に関するものである。
【０００２】
【従来の技術】
良く知られているように、ピロー包装体，四方シール包装体（三方シール包装体），深絞り包装体など多種多様な包装形態があるが、基本的には一枚または複数枚の包装シート材を用い、被包装物の周囲を囲繞するとともに、重合した所定部位をシールすることにより密封するようになっている。
【０００３】
一例を示すと、図１のように２枚の包装シート材１の周縁のフィルム重合端をシールしてシール部２が生成され、そのシール部２により密封された包装体３が形成される。
【０００４】
包装シート材１としては、各種の樹脂フィルムであったり、紙製シート（ラミネート加工を含む）等があり、切り裂きやすい包装シート材１も有れば切り裂き難いものもある。さらには、切り裂きやすい方向が決まっているものもある。そこで、シール部２の外周縁の所定位置に切込部４を形成し、包装体を開封する際には、その切込部４の周囲のシール部２を持つとともに所定方向に引っ張ることにより切込部４から包装シート材１が引き裂かれていく。
【０００５】
そして、上記切り裂かれる方向が所望の方向になるようにするために切込部４の形状を工夫している。一例を示すと、図示したように三角形状に切り取られたＶノッチと称されるものがある。また、係る形状以外にも例えば図２（ａ）に示すように、周縁から内側に向かって延びる１本の線状の切込部４′（Ｉノッチと称される）や、図２（ｂ）に示すように５角形状に切り取られた形状の切込部４″等もある。
【０００６】
【発明が解決しようとする課題】
例えば、図１（ａ）に示す切込部４′（Ｉノッチ）の場合には、１本の線状であるので、ユーザがその切込部４′の位置を見つけにくく、開封操作がしにくいという問題がある。
【０００７】
一方、図１に示す切込部４（Ｖノッチ）や、図２（ｂ）に示す切込部４″の場合には、切込部４′（Ｉノッチ）に比べると目立つものの、シール部２の側縁が所定形状に切り取られているため、見た目が悪いばかりでなく、製造時に該当部位を打ち抜くため、搬送途中の包装シート材から、打ち抜かれた小片（チップ）が離脱され、ゴミが発生する。よって、係るゴミの回収のための更なる機構が必要となる。
【０００８】
本発明は、上記した背景に鑑みてなされたもので、その目的とするところは、切込部の位置を確認しやすく、開封が容易に行えるとともに、製造時に発生するゴミの量を可及的に抑制することのできる切込部付き包装体を提供することにある。
【０００９】
【課題を解決するための手段】
上記した目的を達成するために、本発明に係る切込部付き包装体は、被包装物を包装シート材で囲繞するとともに、包装シート材の重合端をシールし、そのシールしたシール部の所定位置に開封用の切込部を備えた包装体を前提とする。そして、前記切込部は、１端が包装体の外側縁に達し、他端がシール部内の前記外側縁の近くに位置する１本の切込線で囲まれた領域からなり、前記切込線の少なくとも一部が、前記他端よりも前記包装体の中央側に位置し、その中央側に位置する部位から前記包装シート材が前記包装体の中央側に向かって切り裂かれて包装体が開封されるように構成した。
【００１０】
また、上記と同様の前提において、前記切込部は、１端が包装体の外側縁に達し、他端がシール部内の前記外側縁の近くに位置する１本の切込線で囲まれた領域からなり、前記切込線は、方向変換された部位を少なくとも１つ有し、その方向変換された部位から前記包装シート材が前記包装体の中央側に向かって切り裂かれて包装体が開封されるようにすることもできる。
【００１１】
そして、前記方向変換された部位は、折曲部或いは湾曲状（円或いは楕円の弧であったり任意の曲面等）とすることができる。なお、折曲部は、例えばＶ字状とすることができる。
【００１２】
この発明によれば、切込線の他端がシール部内に位置しているので、切込線で囲まれる領域部分も除去されずに包装体に繋がる。よって、従来製造時に除去されていた領域が包装体に一体となったままとなるので、除去された部分（チップ）がゴミとして包装機の周囲に散らかったり、また、係る散らかるのを防止するために除去されたチップ（ゴミ）を収集する装置を設ける必要が無くなる。更に、切込線の少なくとも一部が、切込線の他端よりも包装体の中央側に位置するようにしたり、切込線の適宜位置で方向が変わるようにすることから、切込線は２次平面上に存在することになり、従来のＩノッチのように１本の直線と異なり存在位置が目立ち、切込部の位置（開封位置）が見つかりやすく、開封が容易に行える。
【００１３】
また、上記した各発明において、前記切込線で囲まれた領域の外側縁は、隣接する前記包装体の外側縁の延長線上に位置するようにすると良い。このようにすると、包装体の外周縁は切込部の部分で内側に入り込むようなことが無く、見た目がきれいになる。
【００１４】
【発明の実施の形態】
図３は、本発明に係る切込部付き包装体の好適な一実施の形態を示している。本実施の形態では、いわゆる四方シール包装体１０に適用した例を示している。同図に示すように、四方シール包装体１０は、矩形状の２枚の包装シート材１１の周縁部を熱シールして接着することにより、密封された袋状に形成されている。熱シールされることにより、周縁の４辺部分は、シール部１２となる。なお、包装シート材１１は、紙製，各種合成樹脂フィルムなど一般に用いられる包材を用いることができる。
【００１５】
なおまた、この包装体内に収納される被包装物としては、飴などの複数の固形物や、顆粒状物，粉体，液体等各種のものがある。さらには、湿布薬等のシート状物（一種の固形物）でもよく、その被包装物の種類は問わない。
【００１６】
この種の包装体の場合、４辺のシール部１２のうちの所定位置に切込部１３を設ける。通常は、四方シール包装体１０の上辺１０ａ部分を除去して開封することが多い。そこで、切込部１３は、四方シール包装体１０の一方の側辺１０ｂの上辺１０ａ側近傍位置に設けている。図示の例では、一方の側辺１０ｂにのみ設けているが、両側に設けてももちろん良い。さらに、上辺１０ａ側に設けて側辺１０ｂ側を除去して開封するようにしても良く、切込部１３の設置位置は任意である。
【００１７】
切込部１３の形状を１本の連続した切込線により形成するようにしている。つまり、図４に拡大して示すように、本形態では、略Ｖ字状の切込線により形成し、その一端１３ａは四方シール包装体１０（シール部１２）の外周縁に達しており、他端１３ｂはシール部１２内に位置し、前記外周縁には達しないようにしている。さらに、本形態の切込部１３は、略Ｖ字状としているため、切込線の中間位置で１回折曲されるが、係る折曲部１３ｃが、シール部１２内で最も内側に位置する。
【００１８】
そして、その折曲部１３ｃから側辺１０ｂに向けた垂線の足と前記一端１３ａにつながる切込部位１３ｄとのなす角θ１と、その垂線の足と前記他端１３ｂにつながる切込部位１３ｅとのなす角θ２は、等しくしている。これにより、それら両切込部位１３ｄ，１３ｅは、垂線の足を中心とした線対称の関係となる。これにより、切込部１３全体としては、上記垂線の足の方向を向くことになる。
【００１９】
また、上記したように他端１３ｂはシール部１２内に位置しているとともに、一端１３ａが外周縁に達している。従って、両切込部位１３ｄ，１３ｅで囲まれる三角形状の領域Ｒは、他端１３ｂ側で四方シール包装体１０（シール部１２）に繋がっているとともに、一端１３ａ側で切り離されてフリー状態となっている。
【００２０】
よって、未開封の四方シール包装体１０の状態では、領域Ｒもシール部１２内にそのまま存在するので、四方シール包装体１０の外周縁は、切込部１３が存在している部分（領域Ｒの外周縁）も他のシール部１２の外周縁とほぼ一致し、側辺１０ｂは直線状となる。つまり、従来のＶノッチ等の切込部４のように切除された空間部がないので、見た目もきれいになるばかりでなく、切込部１３に引っかかるようなこともなくなる。
【００２１】
そして、開封する場合には、切込部１３の周囲のシール部１２の所定位置（両切込部位１３ｄ，１３ｅの各外側）を把持し、所定方向に引っ張ることにより、折曲部１３ｃからシール部１２の内側（垂線の足の方向）に向かって切り裂かれていく。領域Ｒは、包装体の開封には影響を与えず、開封時の切り裂き処理は、本形態ではＶノッチと同様に機能し、スムーズに開封することができる。なお、開封処理に先立ち、領域Ｒの部分を切り取るようにしても良い。
【００２２】
更に、切込部１３は、１本の切込線としても折れ曲がっていて２次平面上に存在するので、Ｉノッチのような１本の直線状の切込部４′と異なり、見つけやすい。また、領域Ｒの部分の色を変えたりすると、切込部１３の部分が目立つので、より開封開始位置を見つけやすくなる。
【００２３】
上記した実施の形態では、切込部１３を略Ｖ字状の切込線から構成するようにしたが、本発明はこれに限ることはなく、例えば図５（ａ）に示すように、一方の切込部位１３ｄが側縁に直交するようにした「レの字状」としたり、図５（ｂ）に示したように、複数箇所で折れ曲がり、領域Ｒ′が五角形状になるような形状とすることができる。さらには、図５（ｃ）に示すように切込線の形状をＵ字状（Ｊ字状）にし、内側を折曲部でなく曲線状１３ｃ′にしたものでも良い。もちろん、各図は、あくまでも例示列挙したものであり、図示した以外にも各種の形状のものにすることができる。
【００２４】
また、適用となる包装体の形態も四方シール包装体に限ることはなく、三方シール包装体，ピロー包装体，深絞り包装体などの他各種の形態の物に適用することができる。
【００２５】
【発明の効果】
以上のように、本発明に係る切込部付き包装体では、１端が包装体の外側縁に達し、他端がシール部内に位置する１本の切込線を２次元的に配置するようにしたため、切込部の位置を確認しやすく、開封が容易に行えるとともに、製造時に発生するゴミの量を可及的に抑制することができる。
【図面の簡単な説明】
【図１】従来例を示す図である。
【図２】従来例を示す図である。
【図３】本発明に係る切込部付き包装体の一実施の形態を示す図である。
【図４】本発明に係る切込部付き包装体の一実施の形態の要部を拡大して示す図である。
【図５】本発明に係る切込部付き包装体の別の実施の形態を示す図である。
【符号の説明】
１０  四方シール包装体
１１  包装シート材
１２  シール部
１３  切込部
１３ａ  一端
１３ｂ  他端
１３ｃ  折曲部
１３ｄ  切込部位
１３ｅ  切込部位
【図１】
0004886942.tif 000002
【図２】
0004886942.tif 000003
【図３】
0004886942.tif 000004
【図４】
0004886942.tif 000005
【図５】
0004886942.tif 000006